(57)【要約】【課題】  部材の運搬性・施工性の向上、および無溶接による施工が可能な圧縮ブレースによる耐震補強構造および補強方法を提供する。【解決手段】  この耐震補強構造は、既存建物を圧縮ブレースで補強する構造である。圧縮ブレース２Ａ，２Ｂは、両端が既存建物の躯体に接続される芯材と、この芯材の両面に沿って配置されて芯材の座屈を拘束する拘束材とを有し、かつ芯材を拘束材で拘束されている部分で分割したブレースであり、芯材が分割された部分で全体を分割して２つ以上のブレース分割体１２とする。ブレース分割体１２の分割側端部における拘束材に、長さ方向に延びるＰＣ鋼棒用挿通孔とナット収納凹部とを設ける。隣り合うブレース分割体１２，１２同士を、両ブレース分割体１２のＰＣ鋼棒用挿通孔に渡って挿入されるＰＣ鋼棒と、ナット収納凹部に収納されてＰＣ鋼棒に螺合するナットとで接合して一体化する。【選択図】      図１
2014001541.tif 000002
【特許請求の範囲】
【請求項１】
既存建物をブレースで補強する構造であって、前記ブレースが、両端が前記既存建物の躯体に接続される芯材と、この芯材の両面に沿って配置されて前記芯材の座屈を拘束する拘束材とを有し、かつ前記芯材を拘束材で拘束されている部分で分割した圧縮ブレースであり、この圧縮ブレースの全体を、前記芯材が分割された部分で分割して２つ以上のブレース分割体とすると共に、これらブレース分割体における前記拘束材の分割側端部に、長さ方向に延びるＰＣ鋼棒用挿通孔とナット収納凹部とを設け、隣り合う前記ブレース分割体同士を、これら両ブレース分割体の前記ＰＣ鋼棒用挿通孔に渡って挿入されるＰＣ鋼棒と、前記ナット収納凹部に収納されて前記ＰＣ鋼棒に螺合するナットとで接合して一体の圧縮ブレースとしたことを特徴とする圧縮ブレースによる耐震補強構造。
【請求項２】
請求項１において、前記隣り合うブレース分割体の間に、長さ方向と垂直な鋼材を介在させた圧縮ブレースによる耐震補強構造。
【請求項３】
請求項２において、前記隣り合うブレース分割体における分割側端部において、前記芯材を前記拘束材よりも前記鋼材側に突出させた圧縮ブレースによる耐震補強構造。
【請求項４】
請求項１において、前記隣り合うブレース分割体における分割側端部において、一方のブレース分割体では前記芯材を前記拘束材よりも他方のブレース分割体側に突出させると共に、他方のブレース分割体では前記芯材を前記拘束材よりもブレース分割体内に後退させた圧縮ブレースによる耐震補強構造。
【請求項５】
既存建物の躯体にブレースの両端を接続して既存建物を補強する方法であって、前記ブレースとして、両端が前記既存建物の躯体に接続される芯材と、この芯材の両面に沿って配置されて前記芯材の座屈を拘束する拘束材とを有し、かつ前記芯材を拘束材で拘束されている部分で分割した圧縮ブレースを用い、この圧縮ブレースの全体を、前記芯材が分割された部分で分割して２つ以上のブレース分割体とすると共に、これらブレース分割体の分割側端部における前記拘束材に、長さ方向に延びるＰＣ鋼棒用挿通孔とナット収納凹部とを設け、隣り合う前記ブレース分割体同士を、これら両ブレース分割体の前記ＰＣ鋼棒用挿通孔に渡って挿入されるＰＣ鋼棒と、前記ナット収納凹部に収納されて前記ＰＣ鋼棒に螺合するナットとで接合して一体の圧縮ブレースとすることを特徴とする圧縮ブレースによる耐震補強方法。
【発明の詳細な説明】
【技術分野】
【０００１】
この発明は、圧縮ブレースを用いた建物の耐震補強構造および補強方法に関する。
【背景技術】
【０００２】
従来、既設のＲＣ造やＳＲＣ造の建物の耐震補強構造として、鉄骨枠付きブレースによるものが種々提案されている（例えば、特許文献１〜４）。しかし鉄骨枠付きであると、施工において、後施工アンカーを打設するときに、騒音，振動，粉塵が発生する。また、後施工アンカーに代えて、無収縮モルタルを充填するものもあるが、その充填，養生，型枠解体等の作業によって施工期間が長くなる。このような課題を解消したものとして、圧縮ブレースを用いるものが提案されている（特許文献５）。
【０００３】
上記提案例に係る圧縮ブレースを用いた建物の耐震補強構造は、両端が既存建物の躯体に接続される芯材と、この芯材の両面に沿って配置されて前記芯材の座屈を拘束する拘束材とを有する圧縮ブレースを用い、その芯材を、長さ方向に拘束材により拘束されている部分で一対の分割芯材に分割したものである。
この構成の耐震補強構造では、圧縮ブレースとして、その芯材が長さ方向の拘束材により拘束されている部分で分割された一対の分割芯材からなるものを用いているので、引張力の負担を無くすことができ、既存建物の躯体との接合を簡素化できる。これにより、簡易な施工で短い施工期間により耐震補強を行うことができ、施工に伴う騒音、振動、粉塵の問題も解消できる。
【先行技術文献】
【特許文献】
【０００４】
【特許文献１】特開２０００−２５７２７０号公報
【特許文献２】特許第４０１６５２４号公報
【特許文献３】特開平１１−０５０６９１号公報
【特許文献４】特開平１０−１１５１０５号公報
【特許文献５】特許第４９１７１６８号公報
【発明の概要】
【発明が解決しようとする課題】
【０００５】
既存建物への耐震補強では、「居ながら補強」と呼ばれる居住したままでの補強が求められている。「居ながら補強」を実現するには、施工時の粉塵・騒音を抑制することは勿論であるが、補強部材の運搬性・組立の簡便さ、現場での施工が無溶接であることが重要な要素となる。すなわち、補強部材が大きい場合、補強箇所までの運搬が困難となり、また既存建物での溶接施工は火災リスクが大きくなる。特許文献５に開示の耐震補強構造に補強部材として用いられる圧縮ブレースは、芯材が分割されているものの、拘束材が一体の部材であるために、部材が長く重くなり、これでは上記した要求を満たすことができない。
【０００６】
この発明の目的は、部材の運搬性・施工性の向上、および無溶接による施工が可能な圧縮ブレースによる耐震補強構造および補強方法を提供することである。
この発明の他の目的は、分割された芯材間に隙間が生じて地震発生時にその隙間を無くすように芯材の滑りが生じる初期動作を無くすことができ、芯材による圧縮力の伝達を即座に行えるようにすることである。
【課題を解決するための手段】
【０００７】
この発明の圧縮ブレースによる耐震補強構造は、既存建物をブレースで補強する構造であって、前記ブレースが、両端が前記既存建物の躯体に接続される芯材と、この芯材の両面に沿って配置されて前記芯材の座屈を拘束する拘束材とを有し、かつ前記芯材を拘束材で拘束されている部分で分割した圧縮ブレースであり、この圧縮ブレースの全体を、前記芯材が分割された部分で分割して２つ以上のブレース分割体とすると共に、これらブレース分割体の分割側端部における前記拘束材に、長さ方向に延びるＰＣ鋼棒用挿通孔とナット収納凹部とを設け、隣り合う前記ブレース分割体同士を、これら両ブレース分割体の前記ＰＣ鋼棒用挿通孔に渡って挿入されるＰＣ鋼棒と、前記ナット収納凹部に収納されて前記ＰＣ鋼棒に螺合するナットとで接合して一体の圧縮ブレースとしたことを特徴とする。前記ＰＣ鋼棒用挿通孔はスリーブからなるものであっても良い。なお、上記の「圧縮ブレースの全体を、前記芯材が分割された部分で分割して」とは、分割による施工，運搬の容易性が担保される範囲であれば、分割面で芯材と拘束材との端面間に多少の不揃いがあっても良い。
【０００８】
この構成によると、補強部材として用いる圧縮ブレースを、複数のブレース分割体から組み立てて一体化できるので、運搬・施工が容易となる。すなわち、例えば、補強部材の搬入経路が狭い場合や、エレベータなどにより搬入する場合でも、容易に搬入することができる。また、現場での溶接作業がないため、火災リスクを低減できる。ブレース分割体の接合は乾式接合であるため、施工性が向上する。
また、通常のブレースであれば引張力を負担するため接合部が煩雑となるが、補強部材として圧縮ブレースを用いていることから、ブレース分割体同士の接合部も構造を簡素化することができる。さらに、ブレース分割体同士の接合に用いるＰＣ鋼棒やナットも、拘束材内に納まるため、外観がすっきりするという利点もある。圧縮ブレースによるため、従来の鉄骨枠付きブレースにおける上記の施工上等の問題が生じない。
【０００９】
この発明において、前記ブレース分割体の分割側端面に前記拘束材の仕切りプレートを設けるのが良い。
ブレース分割体の分割側端面に前記拘束材の仕切りプレートを設けることにより、圧縮ブレースの一体化において隣り合うブレース分割体の拘束材同士が仕切りプレートで互いに接して接合されることになり、モルタルやコンクリート面で接触させる場合と異なり、接触面の凹凸による隙間が生じ難く、拘束材同士の接合が確実なものとできる。
【００１０】
この発明において、前記隣り合うブレース分割体の間に、長さ方向と垂直な鋼材を介在させても良い。
隣り合うブレース分割体の間に鋼材を介在させると、圧縮ブレースの一体化において両ブレース分割体の芯材が鋼材に押し当てられ、その圧着力によって芯材の接合面である端面を鋼材に確実に密着させることができる。このように密着させて隙間を無くすことで、地震発生時に芯材の分割体間の隙間を無くすように滑りが生じる初期動作が無くなり、芯材による圧縮力の伝達が即座に行える。
【００１１】
この場合に、前記隣り合うブレース分割体における分割側端部において、前記芯材を前記拘束材よりも前記鋼材側に突出させるのが良い。
このように、各ブレース分割体の分割側端部において、芯材を拘束材よりも前記鋼材側に突出させることにより、鋼材への芯材の圧着をより確実なものとすることができる。
【００１２】
この発明において、前記隣り合うブレース分割体における分割側端部において、一方のブレース分割体では前記芯材を前記拘束材よりも他方のブレース分割体側に突出させると共に、他方のブレース分割体では前記芯材を前記拘束材よりもブレース分割体内に後退させても良い。
この構成の場合、隣り合うブレース分割体の間で、芯材と拘束材の接合面を長さ方向にずらすことができ、より高い拘束効果を得ることができる。
【００１３】
この発明の圧縮ブレースによる耐震補強方法は、既存建物の躯体にブレースの両端を接続して既存建物を補強する方法であって、前記ブレースとして、両端が前記既存建物の躯体に接続される芯材と、この芯材の両面に沿って配置されて前記芯材の座屈を拘束する拘束材とを有し、かつ前記芯材を拘束材で拘束されている部分で分割した圧縮ブレースを用い、この圧縮ブレースを、前記芯材が分割された部分で全体を分割して２つ以上のブレース分割体とすると共に、これらブレース分割体の分割側端部における前記拘束材に、長さ方向に延びるＰＣ鋼棒用挿通孔とナット収納凹部とを設け、隣り合う前記ブレース分割体同士を、これら両ブレース分割体の前記ＰＣ鋼棒用挿通孔に渡って挿入されるＰＣ鋼棒と、前記ナット収納凹部に収納されて前記ＰＣ鋼棒に螺合するナットとで接合して一体の圧縮ブレースとすることを特徴とする。
この耐震補強方法によると、この発明の耐震補強構造につき前述したと同様に、部材の運搬性・施工性の向上、および無溶接による施工が可能となる。
【発明の効果】
【００１４】
この発明の圧縮ブレースによる耐震補強構造は、既存建物をブレースで補強する構造であって、前記ブレースが、両端が前記既存建物の躯体に接続される芯材と、この芯材の両面に沿って配置されて前記芯材の座屈を拘束する拘束材とを有し、かつ前記芯材を拘束材で拘束されている部分で分割した圧縮ブレースであり、この圧縮ブレースの全体を、前記芯材が分割された部分で分割して２つ以上のブレース分割体とすると共に、これらブレース分割体の分割側端部における前記拘束材に、長さ方向に延びるＰＣ鋼棒用挿通孔とナット収納凹部とを設け、隣り合う前記ブレース分割体同士を、これら両ブレース分割体の前記ＰＣ鋼棒用挿通孔に渡って挿入されるＰＣ鋼棒と、前記ナット収納凹部に収納されて前記ＰＣ鋼棒に螺合するナットとで接合して一体の圧縮ブレースとしたため、部材の運搬性・施工性の向上、および無溶接による施工が可能となる。
前記隣り合うブレース分割体の間に、長さ方向と垂直な鋼材を介在させた場合は、地震発生時に芯材の分割体間の隙間を無くすように滑りが生じる初期動作が無くなり、芯材で即座に圧縮力の伝達が行える。
【００１５】
この発明の圧縮ブレースによる耐震補強方法は、既存建物の躯体にブレースの両端を接続して既存建物を補強する方法であって、前記ブレースとして、両端が前記既存建物の躯体に接続される芯材と、この芯材の両面に沿って配置されて前記芯材の座屈を拘束する拘束材とを有し、かつ前記芯材を拘束材で拘束されている部分で分割した圧縮ブレースを用い、この圧縮ブレースの全体を、前記芯材が分割された部分で分割して２つ以上のブレース分割体とすると共に、これらブレース分割体の分割側端部における前記拘束材に、長さ方向に延びるＰＣ鋼棒用挿通孔とナット収納凹部とを設け、隣り合う前記ブレース分割体同士を、これら両ブレース分割体の前記ＰＣ鋼棒用挿通孔に渡って挿入されるＰＣ鋼棒と、前記ナット収納凹部に収納されて前記ＰＣ鋼棒に螺合するナットとで接合して一体の圧縮ブレースとするため、部材の運搬性・施工性の向上、および無溶接による施工が可能となる。
【図面の簡単な説明】
【００１６】
【図１】この発明の第１の実施形態に係る耐震補強構造を用いた建物躯体の正面図である。
【図２】同耐震補強構造における圧縮ブレースの外観斜視図および断面図である。
【図３】図１におけるＡ部の拡大断面図である。
【図４】図１におけるＢ部の拡大断面図である。
【図５】図１におけるＣ部の拡大断面図である。
【図６】圧縮ブレースの組立工程を示す平面図である。
【図７】同組立工程の断面図である。
【図８】圧縮ブレースの他の構成例の組立工程を示す平面図である。
【図９】同組立工程の断面図である。
【図１０】圧縮ブレースのさらに他の構成例の組立工程を示す平面図である。
【図１１】同組立工程の断面図である。
【発明を実施するための形態】
【００１７】
この発明の第１の実施形態を図１ないし図７と共に説明する。図１は、この実施形態の耐震補強構造を適用した既存建物の躯体構造を示す部分正面図である。この実施形態の耐震補強構造は、既存建物を圧縮ブレース２Ａ，２Ｂを用いて補強する構造である。同図に示すように、建物躯体は、隣り合う２本の柱２０，２０間に梁３０が横架されていて、この梁３０の下面に沿って、両側の柱２０，２０の間に上部鉄骨枠材１を設ける。この上部鉄骨枠材１の下方に、２本の圧縮ブレース２Ａ，２Ｂを互いに逆Ｖ字状に配置する。すなわち、上部鉄骨枠材１の中間部と一方の柱２０の下端との間に渡って第１の圧縮ブレース２Ａを設け、上部鉄骨枠材１の中間部と他方の柱２０の下端との間に渡って第２の圧縮ブレース２Ｂを設けている。建物躯体はＲＣ造またはＳＲＣ造である。
【００１８】
上部鉄骨枠材１は、図１のＡ部を拡大して示す図３、および図１のＢ部の拡大断面図を示す図４のように例えばＨ形鋼からなり、そのウェブ１ａが水平姿勢となるように配置され、両端にはエンドプレート１ｂが設けられている。柱２０および梁３０と、上部鉄骨枠材１との間にはモルタル２２が充填され、図４のように上部鉄骨枠材１の両端のエンドプレート１ｂをボルト２３およびナット（図示せず）で柱２０に接合することにより、上部鉄骨枠材１が建物躯体に接合される。各ボルト２３は、例えば梁３０や柱２０に後施工で設けられたホールインアンカー等のアンカーである。
【００１９】
第１および第２の圧縮ブレース２Ａ，２Ｂの一端は、それぞれ連結部材３ａを介して各柱２０の下端に接合され、これら圧縮ブレース２Ａ，２Ｂの他端はそれぞれ他の連結部材３ａを介して上部鉄骨枠材１の中間部に接合される。
【００２０】
前記各圧縮ブレース２Ａ，２Ｂは建物躯体に加わる水平力に抵抗する部材であって、図２に示すように、芯材３とこの芯材３の両面に沿って配置されて芯材３の座屈を拘束する一対の拘束材４，４とを有する。芯材３は、帯状の平鋼板であり、ＳＮ材（建築構造用圧延鋼材）や、ＬＹＰ材（極低降伏点鋼材）等の降伏点の低い鉄鋼材料からなる。
拘束材４は、例えば芯材３に向けて開口する溝形鋼材５内にモルタルまたはコンクリート６を充填して構成される。芯材３と拘束材４との間には粘性弾性体からなるアンボンド材９が介在させてある。芯材３の両側面には、対向する一対の拘束材４，４の間の隙間を確保するスペーサ１９が介在させてある。スペーサ１９は、線状の鋼材またはゴム材等からなるが、省略しても良い。
芯材３の両端に、前記連結部材３ａが設けられている。連結部材３ａは板状の部材であり、芯材３に接合されたものであっても、芯材３に一体に形成されたものであっても良い。連結部材３ａには、両面に長手方向に沿って補強リブ３ａａが設けられ、補強リブ３ａａは、拘束材４の溝形鋼材５の端部付近に設けられたスリット部から突出している。
【００２１】
同図の例では、両圧縮ブレース２Ａ，２Ｂの両端の連結部材３ａは、芯材３の両端に一体形成された板状部分であり、図３および、図１のＣ部の拡大断面図を示す図５のように、各連結部材３ａにはその端部にエンドプレート１０，１１が設けられている。エンドプレート１０，１１は、例えば直角に折れ曲がったＬ字状とされている。このＬ字状の曲げ角を２分する線の方向が、圧縮ブレース２Ａ，２Ｂの長さ方向となる。エンドプレート１０，１１は、連結部材３ａの両面側へ突出しているが、片面側のみに突出するものであっても良い。これらエンドプレート１０，１１には複数のボルト挿通孔が設けられている。
【００２２】
図５のように、柱２０および梁３０と、両圧縮ブレース２Ａ，２Ｂの下端の連結部材３ａとの間にはモルタル２２が充填され、連結部材３ａに設けられたエンドプレート１０の縦片および横片を、ホールインアンカー等のボルト２３とナット（図示せず）で柱２０および梁３０に接合することにより、両圧縮ブレース２Ａ，２Ｂの下端が既存建物躯体に接続される。
【００２３】
図３のように、上部鉄骨枠材１の中間部には、ウェブ１ａから垂直下方に突出する取付用鋼板２４が設けられている。両圧縮ブレース２Ａ，２Ｂの上端の連結部材３ａに設けられたエンドプレート１１の縦片および横片を、ボルト２３で前記取付用鋼板２４およひ上部鉄骨枠材１のウェブ１ａに接合することにより、両圧縮ブレース２Ａ，２Ｂの上端が上部鉄骨枠材１を介して既存建物躯体に接続される。両圧縮ブレース２Ａ，２Ｂのエンドプレート１１の縦片は、取付用鋼板２４と共に重なり状態にボルト２３で接合される。
【００２４】
前記圧縮ブレース２Ａ，２Ｂは、その芯材３を拘束材４で拘束されている部分で全体を分割した構造のものである。すなわち、拘束材４、スペーサ１９、およびアンボンド材９が分割され、拘束材４は２つの拘束材分割体とされている（なお、以下の説明において、「拘束材分割体」は単に「拘束材４」と称す）。また、圧縮ブレース２Ａ，２Ｂの組立工程を示す図６，図７のように、この圧縮ブレース２Ａ，２Ｂは、前記芯材３が分割された部分で分割して２つ以上（ここでは２つ）のブレース分割体１２，１２とされると共に、これらブレース分割体１２の分割側端部における前記拘束材４に、長さ方向に延びる複数のＰＣ鋼棒用挿通孔１３とナット収納凹部１４とが設けられる（図６（Ａ），図７（Ａ））。ＰＣ鋼棒用挿通孔１３は、例えばモルタルまたはコンクリート６内に埋め込まれたスリーブで構成される。隣り合うブレース分割体１２，１２同士は、これら両ブレース分割体１２，１２の前記ＰＣ鋼棒用挿通孔１３に渡って挿入されるＰＣ鋼棒１５と、前記ナット収納凹部１４に収納されて前記ＰＣ鋼棒１５に螺合するナット１６とで接合して一体の圧縮ブレース２Ａ，２Ｂとされる（図６（Ｃ），図７（Ｃ））。各ナット収納凹部１４はそれぞれ対応するＰＣ鋼棒用挿通孔１３に連通し、拘束材４の表面に開口している。なお、図６は圧縮ブレース２Ａ，２Ｂの組立工程を平面図で示し、図７はその組立工程を縦断面図で示している。また、図６（Ａ）では、調整プレート１７の平面図を鎖線で囲んで示している。
【００２５】
ここでは、隣り合うブレース分割体１２，１２の間に、長さ方向と垂直な鋼材である調整プレート１７を、分割面の全体に渡って介在させる。この調整プレート１７には、図６（Ａ）に示すように、前記ＰＣ鋼棒１５を挿通させるＰＣ鋼棒用挿通孔１７ａが設けられる。また、各ブレース分割体１２の分割側端面には、前記拘束材４の仕切りプレート４ａが設けられる。仕切りプレート４ａは例えば鋼板からなり、拘束材４の溝形鋼材５に端部を蓋するように溶接等で接合されている。この仕切りプレート４ａにも、前記ＰＣ鋼棒１５を挿通させるＰＣ鋼棒用挿通孔（図示せず）が設けられる。各ブレース分割体１２の分割側端部では、芯材３が拘束材４よりも前記調整プレート１７側に若干突出するように配置される。
【００２６】
次に、圧縮ブレース２Ａ，２Ｂを組み立てて一体化する前記組立工程を詳述する。先ず、調整プレート１７を挟んで隣り合うブレース分割体１２，１２をそれらの拘束材４における分割側端部が対向するように突き合わせる（図６（Ａ），図７（Ａ））。次に、一方のブレース分割体１２のＰＣ鋼棒用挿通孔１３にＰＣ鋼棒１５の一端側を挿入し、調整プレート１７のＰＣ鋼棒用挿通孔１７ａにもＰＣ鋼棒１５を挿入し（図６（Ｂ），図７（Ｂ））、さらにＰＣ鋼棒１５の他端側をもう一方のブレース分割体１２のＰＣ鋼棒用挿通孔１３に挿入する。次に、各ナット収納凹部１４内に突出するＰＣ鋼棒１５にナット１６を螺合させ、トルク管理によってＰＣ鋼棒１５に張力を導入する。これにより、隣り合うブレース分割体１２，１２の芯材３が鋼材である調整プレート１７に押し当てられ、その圧着力によって芯材３の接合面である端面を調整プレート１７に確実に密着させることができる。各ブレース分割体１２の芯材３は、拘束材４よりも若干調整プレート１７側に突出させてあるので、調整プレート１７への接合をより確実なものとすることができる。このとき、各ブレース分割体１２の拘束材４の分割側端面に配置される仕切りプレート４ａも調整プレート１７に密着するので、隣り合うブレース分割体１２，１２間での芯材３と仕切りプレート４ａをメタルタッチに接合した状態で、一体の圧縮ブレース２Ａ，２Ｂに組み立てることができる。なお、ＰＣ鋼棒１５とナット１６とで両ブレース分割体１２，１２を一体に緊結した後で、ナット収納凹部１４にモルタルを充填しても良い。
【００２７】
このように、この圧縮ブレースによる耐震補強構造および補強方法によると、補強部材として用いる圧縮ブレース２Ａ，２Ｂを、複数のブレース分割体１２から組み立てて一体化できるので、運搬・施工が容易となる。すなわち、例えば、補強部材の搬入経路が狭い場合や、エレベータなどにより搬入する場合でも、容易に搬入することができる。また、現場での溶接作業がないため、火災リスクを低減できる。ブレース分割体１２の接合は乾式接合であるため、施工性が向上する。
また、通常のブレースであれば引張力を負担するため接合部が煩雑となるが、補強部材として圧縮ブレース２Ａ，２Ｂを用いていることから、ブレース分割体１２同士の接合部も構造を簡素化することができる。さらに、ブレース分割体１２，１２同士の接合に用いるＰＣ鋼棒１５やナット１６も、拘束材４内に納まるため、外観がすっきりするという利点もある。
また、前記隣り合うブレース分割体１２，１２の間に、長さ方向と垂直な調整プレート１７を介在させたため、上記のように芯材３の分割体の相互の当接面である端面を、調整プレート１７に密着させることができ、そのため、地震発生時に芯材３の分割体間の隙間を無くすように芯材３の滑りが生じる初期動作が無くなり、芯材３による圧縮力の伝達が即座に行える。
【００２８】
図８および図９は、前記圧縮ブレース２Ａ，２Ｂの他の構成例の組立工程を示す。なお、図８はその平面図を、図９はその縦断面図をそれぞれ示している。この構成例では、隣り合うブレース分割体１２，１２における分割側端部において、一方のブレース分割体１２では芯材３を拘束材４よりも他方のブレース分割体１２側に突出させると共に、他方のブレース分割体１２では芯材３を拘束材４よりもブレース分割体１２内に前記突出した長さよりも若干短く後退させており（図８（Ａ），図９（Ａ））、図６および図７に示した構成例での調整プレート１７は省略している。その他の構成は、図６および図７に示した構成例の場合と同様である。
【００２９】
この構成例の場合、一方のブレース分割体１２のＰＣ鋼棒用挿通孔１３にＰＣ鋼棒１５の一端側を挿入した後で、そのＰＣ鋼棒１５の他端側を他方のブレース分割体１２のＰＣ鋼棒用挿通孔１３に挿入すると共に、他方のブレース分割体１２から突出した芯材３を一方のブレース分割体１２内に挿入する（図８（Ｂ），図９（Ｂ））。次に、各ナット収納凹部１４内に突出するＰＣ鋼棒１５にナット１６を螺合させ、トルク管理によってＰＣ鋼棒１５に張力を導入する（図８（Ｃ），図９（Ｃ））。これにより、隣り合うブレース分割体１２，１２の芯材３同士が、一方のブレース分割体１２の拘束材４内で接合する。このとき、各ブレース分割体１２の拘束材４の分割側端面に配置される仕切りプレート４ａ同士も互いに密着するので、隣り合うブレース分割体１２，１２間での芯材３と仕切りプレート４ａをメタルタッチに接合した状態で、一体の圧縮ブレース２Ａ，２Ｂに組み立てることができる。また、隣り合うブレース分割体１２，１２の間で、芯材３と拘束材４の接合面をずらすことができるので、より高い拘束効果が期待できる。
【００３０】
図１０および図１１は、前記圧縮ブレース２Ａ，２Ｂのさらに他の構成例の組立工程を示す。なお、図１０はその平面図を、図１１はその縦断面図をそれぞれ示している。この構成例では、１つの圧縮ブレース２Ａ，２Ｂを３つのブレース分割体１２に分割しており、隣り合うブレース分割体１２，１２同士の接合構造は、図８および図９に示した構成例の場合と同様である。
【００３１】
このように、補強部材として用いる圧縮ブレース２Ａ，２Ｂを、２つ以上のブレース分割体１２に分割することにより、施工環境に応じてブレース分割体１２の分割サイズや本数を自由に設定することができ、施工場所を選ばない耐震補強構造および補強方法とすることができる。
【符号の説明】
【００３２】
２Ａ，２Ｂ…圧縮ブレース
３…芯材
４…拘束材
４ａ…仕切りプレート
１２…ブレース分割体
１３…ＰＣ鋼棒用挿通孔
１４…ナット収納凹部
１５…ＰＣ鋼棒
１６…ナット
１７…調整プレート
【図１】
2014001541.tif 000003
【図２】
2014001541.tif 000004
【図３】
2014001541.tif 000005
【図４】
2014001541.tif 000006
【図５】
2014001541.tif 000007
【図６】
2014001541.tif 000008
【図７】
2014001541.tif 000009
【図８】
2014001541.tif 000010
【図９】
2014001541.tif 000011
【図１０】
2014001541.tif 000012
【図１１】
2014001541.tif 000013